(57)【要約】【課題】リアルタイムにて選択的に伝送可能な放送分配装置を提供すること。【解決手段】ＭＰＴＳを受信し、ＰＩＤフィルタリングにより該ＭＰＴＳに含まれているＭＰＥＧ−２ＴＳを振り分けて出力するＰＩＤフィルタ部と、前記ＰＩＤフィルタ部から出力されるＭＰＥＧ−２ＴＳをそれぞれ保存し、入力速度を調節するための多数のバッファと、前記多数のバッファからＭＰＥＧ−２ＴＳを取り込んでスイッチングし、スイッチングされた各ＭＰＥＧ２−ＴＳを各加入者宛てに配信するＴＳスイッチと、前記ＴＳスイッチからの各加入者宛てのＭＰＥＧ−２ＴＳに対して同期化のためのＰＣＲ補正を行う各加入者別のＰＣＲ補正部と、前記各加入者によるチャンネル選択情報に基づいて前記ＴＳスイッチのスイッチング動作を制御する制御部と、を備える構成とする。【選択図】図３
2006203905.tif 000002
【特許請求の範囲】
【請求項１】
ＭＰＴＳ（マルチプログラムトランスポートストリーム）を複数のＳＰＴＳ（シングルプログラムトランスポートストリーム）に分割する放送分配装置において、
ＭＰＴＳを受信し、ＰＩＤフィルタリングにより該ＭＰＴＳに含まれているＭＰＥＧ−２ＴＳを振り分けて出力するＰＩＤフィルタ部と、
前記ＰＩＤフィルタ部から出力されるＭＰＥＧ−２ＴＳをそれぞれ保存し、入力速度を調節するための多数のバッファと、
前記多数のバッファからＭＰＥＧ−２ＴＳを取り込んでスイッチングし、スイッチングされた各ＭＰＥＧ２−ＴＳを各加入者宛てに配信するＴＳスイッチと、
前記ＴＳスイッチからの各加入者宛てのＭＰＥＧ−２ＴＳに対して同期化のためのＰＣＲ補正を行う各加入者別のＰＣＲ補正部と、
前記各加入者によるチャンネル選択情報に基づいて前記ＴＳスイッチのスイッチング動作を制御する制御部と、を備えることを特徴とするリアルタイムにて選択的に伝送可能な放送分配装置。
【請求項２】
前記制御部は、前記各加入者によるチャンネル選択情報を外部のザッピング処理部から取り込むことを特徴とする請求項１記載のリアルタイムにて選択的に伝送可能な放送分配装置。
【請求項３】
前記ＰＩＤフィルタは、前記受信したＭＰＴＳに含まれているＭＰＥＧ−２ＴＳを振り分けて出力するために、前記ＭＰＴＳ内のＭＰＥＧ−２ＴＳ情報を提供するＰＩＤ情報テーブルを含むことを特徴とする請求項１又は２記載のリアルタイムにて選択的に伝送可能な放送分配装置。
【請求項４】
前記ＴＳスイッチは、Ｎ個の入力ポートとＭ個の出力ポートを有し、前記制御部からの制御情報に従って、前記入力ポートと前記出力ポートをマッチング(整合)させることによりスイッチングを行うことを特徴とする請求項１記載のリアルタイムにて選択的に伝送可能な放送分配装置。
【請求項５】
前記Ｍ個の出力ポートを可変的に構成することにより拡張性を高めることを特徴とする請求項４記載のリアルタイムにて選択的に伝送可能な放送分配装置。
【発明の詳細な説明】
【技術分野】
【０００１】
本発明は、ＭＰＥＧ（Motion Picture Expert Group）−２ＴＳ（Transport Stream：伝送ストリーム）が多重化してなる一つのＭＰＴＳ（Multi Program Transport Stream）を、複数のＳＰＴＳ（Single Program Transport Stream）に分割する手法に係り、特に、複数のＳＰＴＳに分割する過程において、ＭＰＴＳを保存することなく、リアルタイムにてＭＰＴＳをスイッチング処理することによって所望のＳＰＴＳを選択する機能を有するＭＰＥＧ−２ＴＳの分配装置に関する。
【背景技術】
【０００２】
現在のデジタル放送サービスは、次の方式を通じて提供される。即ち、各放送コンテンツプロバイダが種々の放送コンテンツを提供し、これらの放送コンテンツを放送事業者がまとめてＭＰＴＳ（マルチプログラムトランスポートストリーム）として提供し、放送加入者側においてＭＰＴＳをＳＰＴＳ（シングルプログラムトランスポートストリーム）に分割することによって各放送コンテンツを受信する方式である。
【０００３】
この種のデジタル放送サービスシステムを図１に示す。
【０００４】
図１は、多数の放送コンテンツを提供する典型的な放送サービスシステムのブロック構成図である。
【０００５】
同図に基づいて従来の放送サービスシステムの動作を説明すると、先ず、放送事業者は、ニュース１０１、ドラマ１０２、サッカー１０３などの各種デジタル放送コンテンツを放送コンテンツプロバイダから受信する。そして、放送事業者は、受信した各種デジタル放送コンテンツを多重化器（Ｍｕｘ）１１で多重化して、ＭＰＴＳ１００として伝送する。ここで、放送事業者によるＭＰＴＳ１００の伝送は、地上波、衛星、ケーブルなどの媒体を介して行われる。
【０００６】
そして、放送加入者側の放送分配器（broadcast splitter）１２は、取り込まれたＭＰＴＳを分割して各デジタルコンテンツ毎のＳＰＴＳ１０４−１、１０４−２に振り分け、加入者の選択に応じて、選択されたデジタルコンテンツ１０１、１０２を提供する。
【０００７】
ここで、ＭＰＴＳ１００は、各デジタル放送コンテンツ１０１、１０２、１０３を含む放送ストリームであって、各デジタル放送コンテンツ１０１、１０２、１０３に関するプログラム識別子（ＰＩＤ：Program ＩＤ）などの情報を含んでいる。受信器側の放送分配器１２は、このＰＩＤに基づいて各デジタル放送コンテンツ１０１、１０２、１０３を振り分けることが可能になる。
【０００８】
前記放送分配器１２は、デジタル放送コンテンツとして多数のＭＰＥＧ−２ＴＳが多重化してなる一つのＭＰＴＳを、複数のＳＰＴＳに分割する装置であり、デジタル放送の加入者側が備える装置の一つである。
【０００９】
この放送分配器１２は、特に、他の加入者側の装置であるザッピング制御部（zapping controller）（図示せず）と結合されて、各加入者の所望するデジタルコンテンツの振り分け／選択処理を可能にする。
【００１０】
以下、従来における放送分配器１２の構成について説明する。
【００１１】
図２は、従来の放送分配器に適用される再多重化器（re-ＭＵＸ）のブロック構成図である。
【００１２】
同図に示すように、従来の放送分配器は、ＭＰＴＳを受信して、ＰＩＤマッピングを通じて該ＭＰＴＳに含まれているＭＰＥＧ２−ＴＳ（以下、単に「ＴＳ（トランスポートストリーム）」と称する場合がある）を振り分けるＰＩＤマッピング部２０１−１、２０１−２と、これらＰＩＤマッピング部２０１−１、２０１−２にＰＩＤ情報を提供するＰＩＤ情報テーブル２０９と、前記ＰＩＤマッピング部２０１−１、２０１−２からの出力信号を一時的に保存する入力バッファ２０２−１、２０２−２と、受信したＭＰＴＳに含まれている各ＭＰＥＧ２−ＴＳを保存するメモリ部２０４と、再多重化を行うＭＰＥＧ２−ＴＳに関するスケジューリング情報を提供するスケジューラ２０８と、前記入力バッファ２０２−１、２０２−２からＭＰＴＳに含まれている各ＭＰＥＧ２−ＴＳを取り込んでメモリ部２０４に保存し、前記スケジューラ２０８からのスケジューリング情報に基づき、メモリ部２０４に保存されている各ＭＰＥＧ２−ＴＳを取り出して、各ＭＰＥＧ２−ＴＳ別に出力する処理部２０３と、処理部２０３からのＭＰＥＧ２−ＴＳを保存し、これをスケジューラ２０８からのスケジューリング情報に基づいて出力する出力バッファ２０５−１、２０５−２、２０５−３、２０５−４と、出力バッファ２０５−１、２０５−２、２０５−３、２０５−４からのＭＰＥＧ２−ＴＳに対して同期化のためのＰＣＲ（Program Clock Reference）補正を行うＰＣＲ補正部２０６−１、２０６−２、２０６−３、２０６−４と、ＰＣＲ補正部２０６−１、２０６−２、２０６−３、２０６−４からの出力信号を受信し、これをスケジューラ２０８からのスケジューリング情報に基づいて多重化して出力するＭＵＸ２０７−１、２０７−２と、を備える。ここで、メモリ部２０４は、ランダムアクセスメモリ（ＲＡＭ：Random Access Memory）などの記憶素子であればよい。
【００１３】
以上の構成を有する従来の放送分配器の動作について、図２を用いてさらに詳しく説明すると、ＴＳ１（２１１）、ＴＳ２（２１２）及びＴＳ３（２１３）からなるＭＰＴＳ１（２１）と、ＴＳ４（２２１）、ＴＳ５（２２２）及びＴＳ６（２２３）からなるＭＰＴＳ２（２２）が受信される場合、ＰＩＤマッピング部２０１−１、２０１−２は、ＰＩＤ情報テーブル２０９を用いて各ＴＳに対するＰＩＤマッピングを行うことによって各ＴＳ別に振り分けた後、これらＴＳ１〜３（２１１、２１２、２１３）及びＴＳ４〜６（２２１、２２２、２２３）のすべてを、それぞれ入力バッファ２０２−１、２０２−２と処理部２０３を介してメモリ部２０４に順次に保存する。そして、スケジューラ２０８において再多重化すべき放送信号が決められると（例えば、ＴＳ１、ＴＳ５とＴＳ２、ＴＳ４）、処理部２０３は、メモリ部２０４から該当するＴＳを取り出し、これらＴＳを出力バッファ２０５−１、２０５−２、２０５−３、２０５−４及びＰＣＲ補正部２０６−１、２０６−２、２０６−３、２０６−４を介して各多重化器２０７−１、２０７−２に伝送する。そして多重化器２０７−１、２０７−２において各ＴＳをそれぞれ時分割多重化し、新たなＭＰＴＳ（例えば、ＴＳ１及びＴＳ５の組合体であるＭＰＴＳ及びＴＳ２及びＴＳ４の組合体であるＭＰＴＳ）にして出力する。
【００１４】
ところが、放送分配器は、入力ポートに比べて出力ポートの方を多数必要とし、また図２に示す再多重化器の場合、放送分配器では不要とされる多重化器（ｍｕｘ）を出力ポートに用いている。すなわち、多重化器（ｍｕｘ）は複数のＴＳを組み合わせるものであって、放送分配器では不要である。そのため、多重化器（ｍｕｘ）を含まない構成の放送分配器が実現された。
【００１５】
図３は、従来の再多重化器を用いた放送分配器のブロック構成図である。
【００１６】
同図に示すように、この放送分配器は、ＭＰＴＳを受信して、ＰＩＤマッピングを通じて該ＭＰＴＳに含まれているＭＰＥＧ２−ＴＳを振り分けるＰＩＤマッピング部３０１−１、３０１−２と、これらＰＩＤマッピング部３０１−１、３０１−２にＰＩＤ情報を提供するＰＩＤ情報テーブル３０９と、前記ＰＩＤマッピング部３０１−１、３０１−２の出力信号を一時的に保存する入力バッファ３０２−１、３０２−２と、受信したＭＰＴＳに含まれている各ＭＰＥＧ２−ＴＳを保存するメモリ部３０４と、再多重化を行うＭＰＥＧ２−ＴＳに関するスケジューリング情報を提供するスケジューラ３０８と、前記入力バッファ３０２−１、３０２−２からＭＰＴＳに含まれている各ＭＰＥＧ２−ＴＳを取り込んでメモリ部３０４に保存し、前記スケジューラ３０８からのスケジューリング情報に基づき、メモリ部３０４に保存されている各ＭＰＥＧ２−ＴＳを取り出して、各ＭＰＥＧ２−ＴＳ別に出力する処理部３０３と、処理部３０３からのＭＰＥＧ２−ＴＳを保存し、これをスケジューラ３０８からのスケジューリング情報に基づいて出力する出力バッファ３０５−１、３０５−２と、出力バッファ３０５−１、３０５−２からのＭＰＥＧ２−ＴＳに対して同期化のためのＰＣＲ補正を行うＰＣＲ補正部３０６−１、３０６−２と、ＰＣＲ補正部３０６−１、３０６−２からの出力信号を受信し、これをスケジューラ３０８からのスケジューリング情報に基づいて出力するＭＵＸ３０７−１、３０７−２と、を備える。ここで、メモリ部３０４は、ＲＡＭなどの記憶素子であればよい。
【００１７】
以上の構成を有する従来の放送分配器の動作について、図３を用いてさらにより詳しく説明すると、ＴＳ１（３１１）、ＴＳ２（３１２）及びＴＳ３（３１３）からなるＭＰＴＳ１（３１）と、ＴＳ４（３２１）、ＴＳ５（３２２）及びＴＳ６（３２３）からなるＭＰＴＳ２（３２）が受信される場合、ＰＩＤマッピング部３０１−１、３０１−２は、ＰＩＤ情報テーブル３０９を用いて各ＴＳに対するＰＩＤマッピングによって各ＴＳを振り分けた後、これらＴＳ１〜３（３１１、３１２、３１３）及びＴＳ４〜６（３２１、３２２、３２３）のすべてを、それぞれ入力バッファ３０２−１、３０２−２と処理部３０３を介してメモリ部３０４に順次に保存する。そして、スケジューラ３０８により再多重化する放送信号が決められると（例えば、ＴＳ１とＴＳ４）、処理部３０３は、メモリ部３０４から該当するＴＳを取り出し、これらＴＳを出力バッファ３０５−１、３０５−２及びＰＣＲ補正部３０６−１、３０６−２を介して各多重化器３０７−１、３０７−２に伝送する。ここで、多重化器３０７−１、３０７−２の多重化機能はあまり必要でないので、多重化器３０７−１、３０７−２の構成は、放送分配器の構成から除外可能である。
【００１８】
このように、従来の再多重化器を用いた放送分配器では、放送分配器の出力バッファからＴＳを読み込む方式として、受信した全てのＴＳをメモリ部に保存し、メモリ部から処理部が読み出す方式である。そのため、光加入者線終端装置（ＯＮＵ：Optical Network Unit）などにおいて適用される放送分配器のように、多くのＴＳが必要とされる場合には、処理部の負荷が大きくなり、結果として、放送分配器の処理のための構成が複雑化するという問題がある。
【００１９】
また、入力バッファだけでなく、メモリ部及び出力バッファなどの多数のメモリ装置を用いて処理を行うため、各メモリ装置別に時間遅延（タイムラグ）が生じ、リアルタイム放送に適したサービス品質を充足できなくなるという問題点がある。
【発明の開示】
【発明が解決しようとする課題】
【００２０】
本発明は、上記の事情に鑑みてなされたものであり、その目的は、ＭＰＴＳ信号をＲＡＭなどのメモリ部に保存することなく、放送スイッチを用いて必要なＴＳをリアルタイムにて取り出して出力ポートに伝送することにより、リアルタイムにて選択的に伝送が可能であり、しかも拡張性に優れている放送分配装置を提供することにある。
【課題を解決するための手段】
【００２１】
上記の目的を達成するために、本発明に係る放送分配装置は、ＭＰＴＳ（マルチプログラムトランスポートストリーム）を複数のＳＰＴＳ（シングルプログラムトランスポートストリーム）に分割する放送分配装置において、ＭＰＴＳを受信し、ＰＩＤフィルタリングにより該ＭＰＴＳに含まれているＭＰＥＧ−２ＴＳを振り分けて出力するＰＩＤフィルタ部と、前記ＰＩＤフィルタ部から出力されるＭＰＥＧ−２ＴＳをそれぞれ保存し、入力速度を調節するための多数のバッファと、前記多数のバッファからＭＰＥＧ−２ＴＳを取り込んでスイッチングし、スイッチングされた各ＭＰＥＧ２−ＴＳを各加入者宛てに配信するＴＳスイッチと、前記ＴＳスイッチからの各加入者宛てのＭＰＥＧ−２ＴＳに対して同期化のためのＰＣＲ補正を行う各加入者別のＰＣＲ補正部と、前記各加入者によるチャンネル選択情報に基づいて前記ＴＳスイッチのスイッチング動作を制御する制御部と、を備えることを特徴とする。
【発明の効果】
【００２２】
本発明によれば、ＭＰＴＳ信号をＲＡＭなどのメモリ部に保存することなく、放送スイッチを用いてリアルタイムにて必要なＴＳを取り出して出力ポートに送ることにより、リアルタイム伝送が可能になるという効果を奏する。さらにこの場合、光加入者線終端装置（ＯＮＵ）などにおいて適用される放送分配器のように、多くのＴＳが必要とされる場合であっても、処理部の負荷を小さくすることができ、結果として、放送分配器の処理のための構成を簡単にすることが可能になるという利点がある。また、メモリによる時間遅延（タイムラグ）が少なく、リアルタイム放送に適したサービス品質を確保することが可能になる。
【００２３】
また、本発明は、ＴＳスイッチを用いることから出力構造が簡単になるため、出力ポートの拡張が容易になるという効果をも奏する。
【発明を実施するための最良の形態】
【００２４】
以下、添付図面を参照しながら、本発明に係る放送分配装置の好適な一実施形態について詳細に説明する。図中、できる限り同じ構成要素については、たとえそれらが他の図面に示されているとしても、同じ参照符号を付していることに留意しなければならない。なお、本発明を説明するにあたり、関連のある公知の技術あるいは構成についての具体的な説明が、本発明の要旨を不明瞭にする恐れがあると認められる場合、その詳細な説明を省略する。
【００２５】
この明細書中において、説明の便宜上、ＭＰＥＧ２−ＴＳとＳＰＴＳの用語を使い分けているが、ＭＰＥＧ２−ＴＳはＳＰＴＳと同じ意味として理解される。
【００２６】
図４は、本発明に係るリアルタイムにて選択的に伝送可能な放送分配器の一実施形態例を示すブロック構成図である。
【００２７】
同図に示すように、本発明に係るリアルタイムにて選択的に伝送可能な放送分配器は、ＴＳスイッチ４０３を備え、ザッピング処理部４０６からのザッピング情報に基づき、入力されるＴＳを直接的にスイッチングすることを特徴とする。以下、その構成及び動作について詳細に説明する。
【００２８】
先ず、本発明に係るリアルタイムにて選択的に伝送可能な放送分配器は、ＭＰＴＳを受信し、ＰＩＤフィルタリングにより該ＭＰＴＳに含まれているＭＰＥＧ２−ＴＳを振り分けて出力するＰＩＤフィルタ４０１−１、４０１−２と、ＭＰＥＧ２−ＴＳの入力速度を調節するためにＰＩＤフィルタ４０１−１、４０１−２からのＭＰＥＧ２−ＴＳを各ＭＰＥＧ２−ＴＳ別に一時的に保存するバッファ４０２−１、４０２−２、４０２−３、４０２−４、４０２−５、４０２−６と、バッファ４０２−１、４０２−２、４０２−３、４０２−４、４０２−５、４０２−６から各ＭＰＥＧ２−ＴＳを取り込み、制御部４０４の制御によって取り込んだ各ＭＰＥＧ２−ＴＳを各加入者別にスイッチングするＴＳスイッチ４０３と、ＴＳスイッチ４０３から出力される加入者別にスイッチングされたＭＰＥＧ２−ＴＳに対して同期化のためのＰＣＲ補正を行う各加入者別のＰＣＲ補正部４０５−１、４０５−２、４０５−３と、外部のザッピング処理部４０６から各加入者別のザッピング情報を取り込み、それに基づいてＴＳスイッチ４０３を制御する制御部４０４と、を備える。
【００２９】
ここで、ザッピング処理部４０６は、各加入者から送られるチャンネル選択情報を処理する構成要素であって、本実施形態に係るリアルタイムにて選択的に伝送可能な放送分配器の構成要素には含めていないが、当該放送分配器はスイッチングのための情報は提供されるとする。もちろん、このザッピング処理部４０６を本実施形態に係る放送分配器の構成要素に含めることも可能である。
【００３０】
また、ＰＩＤフィルタ４０１−１、４０１−２は、受信されるＭＰＴＳから該ＭＰＴＳに含まれているＭＰＥＧ２−ＴＳを振り分けて出力するために、該ＭＰＴＳ内のＭＰＥＧ２−ＴＳ情報を提供するためのＰＩＤ情報テーブルを含む。
【００３１】
ここで、前記ＰＩＤ情報テーブルについて説明しておく。図５（ａ）に一例を示すように、ＰＩＤ情報テーブルは、各プログラム（program1,2,3,4）に対応するＰＩＤ、ＰＣＲ ＰＩＤ、映像（video）ＰＩＤ、音声（audio）ＰＩＤの情報により形成されている。そして、図５（ｂ）に示すように、ＭＰＴＳが例えば複数のスプリッタ（図では３つのスプリッタを記載してある）により構成されたＰＩＤフィルタの入力側に入力された場合、ＴＳの種類の中のＰＡＴ(Program Association)というＴＳをまず獲得して、これに基づき各プログラムのチャンネルＰＩＤ情報を有するＰＭＴ(Program map table)というＴＳのＰＩＤ情報を獲得する。これに基づきＰＭＴというＴＳを獲得して、そのＴＳ内容を分析することによって各単一プログラム(ＳＰＴＳ)の映像、音声、ＰＣＲ情報が入っているＴＳのＰＩＤ情報を獲得する。このような情報に基づいてそれぞれの単一プログラムについてのＰＩＤ情報テーブルを生成する。そして、それぞれのプログラム別に、ＰＩＤ情報テーブルを参照してそれぞれの出力ポートにＴＳを出力させる。
【００３２】
また、ＴＳスイッチ４０３は、Ｎ個の入力ポートとＭ個の出力ポートを有し、制御部４０４の制御によって入力ポートと出力ポートを整合（マッチング）させることによってスイッチング動作を行う。さらに、Ｍ個の出力ポートを可変的に構成することによって拡張性を高めることが可能である。
【００３３】
続いて、上記放送分配器の動作について詳述する。先ず、ＴＳ１（４１１）、ＴＳ２（４１２）及びＴＳ３（４１３）からなるＭＰＴＳ１（４１）と、ＴＳ４（４２１）、ＴＳ５（４２２）及びＴＳ６（４２３）からなるＭＰＴＳ２（４２）が受信される場合、ＰＩＤフィルタ４０１−１、４０１−２は、ＰＩＤ情報を用いて各ＭＰＥＧ２−ＴＳを振り分けた後、各ＭＰＥＧ２−ＴＳ別に出力する。次いで、出力された各ＭＰＥＧ２−ＴＳは、それぞれバッファ４０２−１、４０２−２、４０２−３、４０２−４、４０２−５、４０２−６に保存される。そして、バッファ４０２−１、４０２−２、４０２−３、４０２−４、４０２−５、４０２−６を介してＴＳスイッチ４０３に取り込まれた各ＭＰＥＧ２−ＴＳ（４１１、４１２、４１３、４２１、４２２、４２３）は、制御部４０４からの各加入者別のチャンネル選択情報に基づいてスイッチングされ、ＰＣＲ補正部４０５−１、４０５−２、４０５−３において同期化のためのＰＣＲ補正が行われた後、各加入者宛てに配信される。
【００３４】
例えば、当該放送分配器に３名の加入者が接続されており、入力されるＭＰＴＳは２本であり、ＭＰＥＧ２−ＴＳは合計で６本（４１１、４１２、４１３、４２１、４２２、４２３）あると仮定する。
【００３５】
この場合において、各加入者の所望するチャンネル情報が、取り込まれたＭＰＥＧ２−ＴＳの中のそれぞれＴＳ１（４１１）、ＴＳ３（４１３）、ＴＳ４（４２１）であるとすれば、制御部４０４は、このチャンネル選択情報をＴＳスイッチ４０３に伝送する。そして、ＴＳスイッチ４０３は、バッファからのＭＰＥＧ２−ＴＳのうち該当するＭＰＥＧ２−ＴＳを各加入者別にスイッチングする。すなわち、加入者１にはＴＳ１（４１１）を配信し、加入者２にはＴＳ３（４１３）を配信し、そして加入者３にはＴＳ４（４２１）を配信する。
【００３６】
本実施形態によれば、ＭＰＴＳ信号をＲＡＭなどのメモリ部に保存することなく、各加入者のチャンネル選択情報に従いＴＳスイッチ４０３を用いてＴＳをスイッチングして配信することにより、リアルタイム伝送が可能になる。さらにこの場合、光加入者線終端装置（ＯＮＵ）などにおいて適用される放送分配器のように、多くのＴＳが必要とされる場合であっても、処理部の負荷を小さくすることができ、結果として、放送分配器の処理のための構成を簡単にすることが可能になるという利点がある。また、メモリによる時間遅延（タイムラグ）が少なく、リアルタイム放送に適したサービス品質を確保することが可能になる。
【００３７】
また、ＴＳスイッチ４０３により放送分配装置を構成すれば、出力ポートの構造が単純化し、通常、スイッチの出力ポートが入力と同数に構成されるため、拡張し易くなる。すなわち、加入者の数が増すに伴い、構成をさらに追加することなく容易に出力ポートを拡張し易くなる。
【００３８】
即ち、既述した従来方式のＰＩＤマッピングは、入力された全てのＴＳについてＰＩＤテーブル(ＰＳＩ/ＳＩテーブル)を参照しながら削除することなくメモリ等の記憶手段に保存する。このように、ＰＩＤマッピングは、すべてのＴＳ情報をメモリ等の記憶手段に保存しておき、そして加入者が所望する場合に、保存されているＴＳをバス(bus)構造を利用して順次に呼び出す方式である。そのため、多数のチャンネルをスプリティング(splitting)する場合には、遅延が発生する。これに対し、ＰＩＤフィルタリング方式は、予めユーザが所望するＴＳについての情報をＰＩＤテーブルに保存しておき、入力されるＴＳのＰＩＤを検索して、バッファに一時的に保存はするが、メモリ等の記憶手段に別途保存することはしないで、それぞれのＰＩＤに基づいてＴＳ別に分配し、ＴＳスイッチを介してスイッチングして伝送するので、ＰＩＤマッピングに比べて相対的に遅延時間を短くすることが可能になる。
【００３９】
以上、本発明の具体的な実施例について詳述したが、本発明はこれに限定されるものではなく、当業者であれば、本発明の範囲を逸脱することなく種々なる置換、変形及び修正が可能である。よって、本発明の真の技術的な範囲は上述の実施例によって定められるものではなく、特許請求の範囲とその均等の範囲によって定められるべきである。
【図面の簡単な説明】
【００４０】
【図１】多数の放送コンテンツを提供する通常の放送サービスシステムのブロック構成図である。
【図２】従来の放送分配器に用いられる再多重化器のブロック構成図である。
【図３】従来の再多重化器を用いた放送分配器のブロック構成図である。
【図４】本発明に係るリアルタイムにて選択的に伝送可能な放送分配器の一実施形態例を示すブロック構成図である。
【図５】ＰＩＤ情報テーブルの一例を示す図である。
【符号の説明】
【００４１】
４０１  ＰＩＤフィルタ部
４０２  バッファ
４０３  ＴＳスイッチ
４０４  制御部
４０５  ＰＣＲ補正部
４０６  ザッピング処理部    
【図１】
2006203905.tif 000003
【図２】
2006203905.tif 000004
【図３】
2006203905.tif 000005
【図４】
2006203905.tif 000006
【図５】
2006203905.tif 000007